(57)【特許請求の範囲】
【請求項１】
内向き突縁により口部を狭窄化して形成した網戸用枠体の係止用溝に、合成樹脂製の押さえ部材を網戸用ネットとともに押入することにより該ネットを固定するための網戸用ネットの固定構造であって、
上記押さえ部材が、係止用溝を覆う覆板に、該係止用溝に対してその内向き突縁に係止する状態で嵌る弾性変形可能な脚部を備えることにより構成され、
上記覆板における脚部の外側部分に軟質合成樹脂からなる突部が一体に連設され、
上記網戸用枠体の係止用溝におけるネット張設側にある内向き突縁の外面側に、上記軟質の突部がネットとともに圧入されて、該突部との間でネットを挟持固定する凹部が形成されている、
ことを特徴とする網戸用ネットの固定構造。
【請求項２】
上記網戸用枠体の係止用溝が、一対の対向する内向き突縁の間に狭窄化した口部を有するものとして構成され、
上記脚部が、係止用溝に対してその口部両側の内向き突縁にそれぞれネットを介して係止する状態で嵌る一対の弾性変形可能な脚条によって構成され、
上記一対の脚条は、その先端部外側に、上記係止用溝への押入時に係止用溝の内向き突縁の先端に上記ネットを介して当接する斜面をそれぞれ備え、且つ、上記押さえ部材の係止用溝への押入完了時に上記内向き突縁の内側に上記ネットを介して係止する係止縁をそれぞれ備えている、
ことを特徴とする請求項１に記載の網戸用ネットの固定構造。
【請求項３】
上記網戸用枠体の係止用溝が、一対の対向する内向き突縁の間に狭窄化した口部を有するものとして構成され、
上記脚部が、係止用溝に対してその口部両側の内向き突縁にそれぞれネットを介して内側から係止する状態で嵌る一対の弾性変形可能な係止脚を有する脚体によって構成され、
上記脚体は、その先端部に上記一対の係止脚がＶ型に連設されて、該一対の係止脚により上記係止用溝への押入時に係止用溝の内向き突縁の先端に上記ネットを介して圧接する斜面が形成されており、且つ、該係止脚は、上記押さえ部材の係止用溝への押入完了時にその弾性により拡開して上記内向き突縁の内側に上記ネットを介して係止する係止縁をそれぞれ備えている、
ことを特徴とする請求項１に記載の網戸用ネットの固定構造。
【請求項４】
上記網戸用枠体の係止用溝が、該網戸用枠体の内周側平面部とそれに対向する内向き突縁との間に狭窄化した口部を有するものとして構成され、
上記脚部が、上記内向き突縁にネットを介して係止する状態で嵌る弾性変形可能な脚条と、上記網戸用枠体の内周側平面部に当接して挿着姿勢を保持する当接板部とによって構成され、
上記脚条は、その先端部外側に、上記係止用溝への押入時に係止用溝の内向き突縁の先端に上記ネットを介して当接する斜面を備え、且つ、上記押さえ部材の係止用溝への押入完了時に上記内向き突縁の内側に上記ネットを介して係止する係止縁を備えている、
ことを特徴とする請求項１に記載の網戸用ネットの固定構造。
【発明の詳細な説明】
【技術分野】
【０００１】
本発明は、網戸用枠体の係止用溝に押さえ部材を網戸用ネットとともに押入することにより、該ネットを枠体に対して固定するようにした網戸用ネットの固定構造に関し、特に既存の汎用防虫用ネットに比してフィラメントが細くてメッシュが細かい網戸用ネットを網戸用枠体に対して固定するのに適した網戸用ネットの固定構造に関するものである。
【背景技術】
【０００２】
近年、建物開口部からより小さな虫や細かい塵埃が侵入したりするのを防ぎ、且つネットを通した視界をより明るくでき、通風性をも改善できるため、既知の汎用の防虫用ネットに比してフィラメントの繊度がより細く、メッシュがより細かい網戸用ネットの需要が多くなっているが、この種のネットは既知のネットに比して生地が薄く、必然的に表面が平滑で、ネット自体が柔軟で、他物との摩擦力も小さく、表面が滑りやすい状態になっていため、網戸用枠体に対して既知のゴム紐状の押さえ部材等を使用して該ネットを固定しようとすると、該ネットが非常に滑りやすく、皺を生じさせることなく綺麗に張ることができないばかりでなく、張設した該ネットに外力が作用すると、簡単に抜け出し、あるいは押さえ部材とともに係止用溝から外れてしまうという問題がある。
また、ネット自体が薄く傷が付きやすいため、ネットを押さえ部材で網戸用枠体に固定する際に、該押さえ部材からネットに対して部分的に集中して外力を作用させると、該ネットが破損してしまう可能性がある。
【発明の開示】
【発明が解決しようとする課題】
【０００３】
本発明の技術的課題は、既知の防虫用ネットを網戸用枠体に対して固定することもできるが、特に、上記既知の防虫用ネットに比してフィラメントが細くメッシュが細かく、結果的に表面が滑りやすいネットを、網戸用枠体に固定するのに有効な網戸用ネットの固定構造を提供することにある。
本発明の他の技術的課題は、ネットを押さえ部材で網戸用枠体に固定するに際し、該押さえ部材からネットに対して大きな外力が部分的に集中して作用することがない固定構造を提供することにある。
【課題を解決するための手段】
【０００４】
上記課題を解決するための本発明は、内向き突縁により口部を狭窄化して形成した網戸用枠体の係止用溝に、合成樹脂製の押さえ部材を網戸用ネットとともに押入することにより該ネットを固定するための網戸用ネットの固定構造であって、上記押さえ部材が、係止用溝を覆う覆板に、該係止用溝に対してその内向き突縁に係止する状態で嵌る弾性変形可能な脚部を備えることにより構成され、上記覆板における脚部の外側部分に軟質合成樹脂からなる突部が一体に連設され、上記網戸用枠体の係止用溝におけるネット張設側にある内向き突縁の外面側に、上記軟質の突部がネットとともに圧入されて、該突部との間でネットを挟持固定する凹部が形成されていることを特徴とするものである。
【０００５】
上記構成を有する網戸用ネットの固定構造においては、上記覆板の先端に連設した軟質合成樹脂からなる突部を、網戸用枠体の内向き突縁の外面側に設けた凹部にネットとともに圧入し、この部分で主たるネットの挟持固定を行い、つまり、上記凹部に軟質合成樹脂からなる突部を圧入してそれらの間でネットを挟持させるので、該ネットがソフトに固定され、一方、上記押さえ部材の脚部は、ネットの保持作用をも備えてはいるが、該押さえ部材を網戸用枠体の係止用溝内に押入する際にネットを適度に滑らせて、該ネットに損傷を与えず、そして、該脚部は押さえ部材の係止用溝への押入完了時に上記内向き突縁の内側に上記ネットを介して係止することにより、該押さえ部材自体を網戸用枠体の係止用溝に安定的に固定するために機能するものである。
【０００６】
上記網戸用枠体における係止用溝が一対の対向する内向き突縁の間に狭窄化した口部を有する場合には、上記脚部が、係止用溝に対してその口部両側の内向き突縁にそれぞれネットを介して係止する状態で嵌る一対の弾性変形可能な脚条によって構成され、上記一対の脚条は、その先端部外側に、上記係止用溝への押入時に係止用溝の内向き突縁の先端に上記ネットを介して当接する斜面をそれぞれ備え、且つ、上記押さえ部材の係止用溝への押入完了時に上記内向き突縁の内側に上記ネットを介して係止する係止縁をそれぞれ備えたものとして構成することができる。
【０００７】
また、上記のように上記網戸用枠体における係止用溝が一対の対向する内向き突縁の間に狭窄化した口部を有する場合には、上記脚部が、係止用溝に対してその口部両側の内向き突縁にそれぞれネットを介して内側から係止する状態で嵌る一対の弾性変形可能な係止脚を有する脚体によって構成され、上記脚体は、その先端部に上記一対の係止脚がＶ型に連設されて、該一対の係止脚により上記係止用溝への押入時に係止用溝の内向き突縁の先端に上記ネットを介して圧接する斜面が形成されており、且つ、該係止脚は、上記押さえ部材の係止用溝への押入完了時にその弾性により拡開して上記内向き突縁の内側に上記ネットを介して係止する係止縁をそれぞれ備えたものとして構成することができる。
【０００８】
一方、上記網戸用枠体における係止用溝が、網戸用枠体の内周側平面部とそれに対向する内向き突縁との間に狭窄化した口部を有するものである場合には、上記脚部が、上記内向き突縁にネットを介して係止する状態で嵌る弾性変形可能な脚条と、上記網戸用枠体の内周側平面部に当接して挿着姿勢を保持する当接板部とによって構成され、上記脚条は、その先端部外側に、上記係止用溝への押入時に係止用溝の内向き突縁の先端に上記ネットを介して当接する斜面を備え、且つ、上記押さえ部材の係止用溝への押入完了時に上記内向き突縁の内側に上記ネットを介して係止する係止縁を備えたものとして構成することができる。
【発明の効果】
【０００９】
以上に詳述した本発明の網戸用ネットの固定構造によれば、既知の防虫用ネットを網戸用枠体に安定的に固定することもできるが、上記既知の防虫用ネットに比してフィラメントが細くメッシュが細かく、結果的に表面が滑りやすい網戸用ネットを、網戸用枠体に対して容易に且つ確実に、しかも安定的に固定することができ、また、ネットを押さえ部材で網戸用枠体に固定するに際し、該押さえ部材からネットに対して外力が部分的に集中して作用することがない固定を行うことができる。
【発明を実施するための最良の形態】
【００１０】
図１乃至図４は、本発明に係る網戸用ネットの固定構造を防虫網戸の網戸用枠に適用した第１実施例を示している。この防虫網戸は、窓枠などの建物開口部に固定的に、あるいは摺動自在に配設されるものである。
上記網戸においては、四辺を構成するアルミニウム製の横枠部材及び縦枠部材により方形に形成された網戸用枠体１１と、該枠体１１に張設された防虫用ネット１２と、該ネット１２を枠体１１に固定するための合成樹脂製の押さえ部材１４とを備えている。上記防虫用ネット１２は、既知の防虫用ネットよりも細い繊度のポリエステル繊維あるいはポリプロピレン繊維等のフィラメントを用い、それを平織あるいはラッセル織で織成することにより既知の防虫用ネットよりメッシュを細かく形成したものである。
【００１１】
上記枠体１１を構成する横枠部材及び縦枠部材には、図１及び図２に示すように、そのネット張設面に沿う一面の内周側に形成した凹段部に係止用溝１８が形成されている。この係止用溝１８は、図２に明瞭に示すように、その口部が左右一対の内向き突縁１９により狭窄化されたものである。そして、上記防虫用ネット１２は、該枠体１１の係止用溝１８を設けたネット張設面に沿う一面上に該防虫用ネット１２を載置した状態で、上記合成樹脂製の押さえ部材１４と共に係止用溝１８内に押入され、以下に詳述するような態様で枠体１１に張設固定されるものである。
【００１２】
上記押さえ部材１４は、合成樹脂の押出し成形により形成され、図２及び図３に明確に示すように、枠体１１の係止用溝１８を覆う覆板１５に、該係止用溝１８に対してその口部両側の内向き突縁１９にそれぞれネット１２を介して係止する状態で嵌る弾性変形可能な脚部を、即ち、一対の弾性変形可能な脚条１６を一体的に備えることにより構成している。また、上記覆板１５における脚部の両外側部分に、軟質合成樹脂からなる突部１５ａが、該覆板１５を延長する態様で一体に連設されている。
【００１３】
一方、上記網戸用枠体１１の係止用溝１８におけるネット１２の張設側（図２において左側）にある内向き突縁１９には、その外面側に該内向き突縁１９と略平行する部分をもつ外突壁２０を設けることにより、上記軟質の突部１５ａがネット１２とともに圧入されて、該突部１５ａとの間でネット１２を挟持固定する凹部２１が形成されている。この凹部２１の内面形状は、突部１５ａとによるネット１２の挟持を確実にするため、該突部１５ａの外面形状に沿わせるとか、凹凸のある形状にするなど、ネット１２の損傷を避けながら適切な形状にすることができる。また、上記覆板１５の突部１５ａの表面には、該突部１５ａの長手方向に沿って、それと上記凹部２１との間に挟持する上記ネット１２の目に弾性的に食い込むすじ状の凹凸を設け、あるいは該突部１５ａの表面を上記ネット１２の目に食い込む粗面とすることができる。
【００１４】
なお、図２に示す第１実施例では、上記網戸用枠体１１の係止用溝１８におけるネット１２の張設側にある内向き突縁１９の外面側のみに外突壁２０を設けることにより、覆板１５における軟質の突部１５ａが圧入される凹部２１を形成しているが、該凹部２１は反対側の内向き突縁１９上にも設けることができる。但し、その凹部２１は、そこに嵌る軟質の突部１５ａがその押圧による変形で嵌入できる程度に浅いものであることが必要である。
また、逆に、上記網戸用枠体１１の係止用溝１８におけるネット１２の張設側にある内向き突縁１９の外面側のみに外突壁２０を設けて凹部２１を形成するとともに、覆板１５における軟質の突部１５ａも該凹部２１に対向する側のみに設けることができる。
【００１５】
一方、上記一対の脚条１６には、それらの先端部外側に、上記係止用溝１８への押入時に該係止用溝１８の内向き突縁１９の先端に上記ネット１２を介して当接する斜面１６ａをそれぞれ有し、且つ、該押さえ部材１４の係止用溝１８への押入完了時に上記突縁１９の内側に上記ネット１２を介して係止する係止縁１６ｂを備えている。この係止縁１６ｂは、脚条１６の先端部外側における上記斜面１６ａに背向する斜面に形成されており、上記係止用溝１８内への押入完了時において、上記係止用溝１８の内側角部に対峙するように形成されている。
【００１６】
上述した網戸用ネットの押さえ部材１４を用いて、上記網戸用枠体１１に対して防虫用ネット１２を張設するに際しては、先ず、枠体１１のネット張設面上に防虫用ネット１２を載置し、次いで、押さえ部材１４を一つの係止用溝１８上において防虫用ネット１２上に置き、上記ネット１２を押さえ部材１４で係止用溝１８に対して押入するが、その場合に、例えば、まず、上記網戸用枠体１１の係止用溝１８におけるネット１２の張設側にある内向き突縁１９上の凹部２１に、覆板１５における軟質の突部１５ａをネット１２とともに圧入すれば、該軟質の突部１５ａにより凹部２１との間でネット１２が挟持固定されるので、枠体１１に対して固定するネット１２の一端の位置決めを行うことができ、そのうえで、以下に述べるように、押さえ部材１４の一対の脚条１６を枠体１１の係止用溝１８に押入固定することにより、枠体１１に対するネット１２の位置決め固定を行うことができる。
【００１７】
係止用溝１８に対する押さえ部材１４の押入は、その一対の脚条１６の斜面１６ａをネット１２を介して係止用溝１８の内向き突縁１９の先端に当接させ、押さえ部材１４に加える押圧力によりその脚条１６を内側に弾性変形させながら押入すればよい。一対の脚条１６の全体が係止用溝１８の内向き突縁１９の内側を通過すると、脚条１６がほぼ元の形に戻り、その係止縁１６ｂが係止用溝１８の内向き突縁１９の内側にネット１２を介して係止され、押さえ部材１４の抜け出しが防止される。この状態では、上記係止用溝１８の内向き突縁１９上の凹部２１に、覆板１５における軟質の突部１５ａがネット１２とともに圧入された状態が保持され、該軟質の突部１５ａにより凹部２１との間でネット１２が安定的に、しかもソフトに挟持固定される。
【００１８】
また、上記網戸用ネットの押さえ部材１４を用いて枠体１１にネット１２を張設するに際し、上記操作とは逆に、まず、上述した態様で枠体１１の係止用溝１８にネット１２を介して押さえ部材１４の一対の脚条１６を押入し、最終的な固定がほぼ完了する段階で、該押さえ部材１４における覆板１５の軟質の突部１５ａを、係止用溝１８におけるネット１２の張設側にある内向き突縁１９上の凹部２１に圧入することもできる。この場合、押さえ部材１４における一対の脚条１６によりネット１２が一応係止用溝１８に固定されるが、その後の凹部２１に対する突部１５ａの圧入により、枠体１１に張設されているネット１２を引き込みながら該突部１５ａが凹部２１に押し込まれ、ネット１２の反対側が既に枠体１１に固定されていれば、ネット１２に対して適度な緊張力を付与することができる。
このようにして、枠体１１の四周についての押さえ部材１４によるネット１２固定を行ったうえで、該押さえ部材１４の外側にあるネット１２の端部を切除することにより、それらの張設作業が完了する。
【００１９】
上記構成を有する網戸用ネットの固定構造においては、上記覆板１５の先端に連設した軟質の突部１５ａを、網戸用枠体１１の内向き突縁１６の外面側に設けた凹部２１にネット１２とともに圧入し、この部分で主たるネットの挟持固定を行い、つまり、上記凹部２１に軟質の突部１５ａを圧入して、それらの間でネット１２を挟持させるので、該ネット１２がソフトに固定され、一方、上記押さえ部材１４の脚部は、ネット１２の保持作用をも備えてはいるが、該押さえ部材１４を網戸用枠体１１の係止用溝１８内に押入する際にネット１２を適度に滑らせて、該ネット１２に損傷を与えず、そして、該脚部は押さえ部材１４の係止用溝１８への押入完了時に上記内向き突縁１６の内側に上記ネット１２を介して係止することにより、該押さえ部材１４自体を網戸用枠体１１の係止用溝１８に安定的に固定するために機能するものである。
【００２０】
図４及び図５は、本発明に係る網戸用ネットの固定構造の第２実施例を示している。この第２実施例においても、上記網戸用枠体１１の係止用溝１８は、一対の対向する内向き突縁１９の間に狭窄化した口部を有するものとして構成され、第１実施例の枠体１１と変わるところがないが、押さえ部材における脚部の構成が相違している。
即ち、この第２実施例における押さえ部材２４は、第１実施例と同様に合成樹脂の押出し成形により形成され、覆板２５における脚部の両外側部分に、軟質合成樹脂からなる突部２５ａを、該覆板２５から両側に突出する態様で一体に連設されている。
【００２１】
また、押さえ部材２４の上記覆板２５に一体に形成される脚部は、枠体１１の係止用溝１８に対してその口部両側の内向き突縁１９にそれぞれネット１２を介して内側から係止する状態で嵌る一対の弾性変形可能な係止脚２６，２６を有する脚体２７によって構成され、上記脚体２７は、その先端部に上記一対の係止脚２６，２６がＶ型に連設されて、該一対の係止脚２６，２６により上記係止用溝１８への押入時に係止用溝１８の内向き突縁１９の先端に上記ネット１２を介して圧接する斜面２６ａが形成されており、且つ、該係止脚２６，２６は、上記押さえ部材２４の係止用溝１８への押入完了時にその弾性により拡開して上記内向き突縁１９の内側に上記ネット１２を介して係止する係止縁２６ｂをそれぞれの先端に備えている、
【００２２】
この第２実施例の押さえ部材２４を用いたネット１２の固定は、第１実施例の場合に比して、押さえ部材２４の脚部の構造が相違してはいるが固定作用には格別の差異がなく、したがって、第１実施例の場合と同様にネット１２を枠体１１に固定することができ、その固定を行った状態でのネットの固定状態も変わるところがない。そのため、この第２実施例についての作用等の説明は省略する。
【００２３】
図６及び図７は、本発明に係る網戸用ネットの固定構造の第３実施例を示している。この第３実施例においては、上記網戸用枠体３１の係止用溝３８が、該網戸用枠体３１の内周側平面部３８ａとそれに対向する内向き突縁３９との間に狭窄化した口部を有するものとして構成され、それに伴って上記押さえ部材４４における脚部等の構成が前記実施例のものとは相違している。
【００２４】
即ち、枠体３１の係止用溝３８にネット１２とともに押入する上記押さえ部材４４は、係止用溝３８を覆う覆板４５における一端側（内向き突縁３９側）に、該覆板４５よりも軟質の合成樹脂により該覆板４５と一体成形された突部４５ａが形成されており、また、該覆板４５には、該係止用溝３８に対して上記内向き突縁３９にネット１２を介して係止する状態で嵌る１条の弾性変形可能な脚条４６Ａと、上記網戸用枠体３１の内周側平面部３８ａに当接して挿着姿勢を保持する１条の当接板部４６Ｂとを一体的に備えている。
上記脚条４６Ａは、その先端部外側に、上記係止用溝３８への押入時に該係止用溝３８の内向き突縁３９の先端に上記ネット１２を介して当接する斜面４６ａを備え、且つ、上記押さえ部材４４の係止用溝３８への押入完了時に上記内向き突縁３９の内側に上記ネット１２を介して係止する係止縁４６ｂを備えている。そして、該係止縁４６ｂを上記斜面４６ａに背向する斜面に形成している。
【００２５】
一方、上記当接板部４６Ｂは、上記枠体３１の内周側平面部３８ａに当接して挿着姿勢を保持するためのものであり、この第３実施例においては平面状をなすものとして構成しているが、該当接板部４６Ｂにおける上記枠体３１の内周側平面部３８ａに当接する側の面を、該内周側平面部３８ａに対して安定的に当接する形態に形成することができる。
また、上記押さえ部材４４における覆板４５と一体に連設された軟質の突部４５ａが、網戸用枠体３１の係止用溝３８におけるネット張設側にある内向き突縁３９の外面側に外突壁４０により形成した凹部４１にネット１２とともに圧入されて、該突部４５ａとの間でネット１２を挟持固定する構成は、前記第１実施例の場合と変わるところがないので、ここではその作用等についての説明を省略する。
なお、この第３実施例のその他の構成及び作用は、実質的に前記第１実施例と同様であるから、それらの説明を省略する。
【００２６】
以上に詳述したように、上記ネットの固定構造によれば、従来のネットに比してフィラメントが細くメッシュが細かいために表面が滑りやすい網戸用ネットを、網戸用枠体に対して容易に且つ確実に、しかも安定的に固定することができるうえに、ネットを押さえ部材で網戸用枠体に固定する際に、該ネットに対して外力が部分的に集中して作用することがなく、該ネットに傷を付けたり破損させることなく固定することができる。
【図面の簡単な説明】
【００２７】
【図１】本発明の第１実施例に係る網戸用ネットの固定構造についての概要を説明するための網戸の一部省略断面図である。
【図２】同第１実施例における網戸用枠体に対するネットの固定状態を示す断面図である。
【図３】同第１実施例における押さえ部材の拡大断面図である。
【図４】本発明の第２実施例におけるネットの固定状態を示す断面図である。
【図５】同第２実施例における押さえ部材の拡大断面図である。
【図６】本発明の第３実施例におけるネットの固定状態を示す断面図である。
【図７】同第３実施例における押さえ部材の拡大断面図である。
【符号の説明】
【００２８】
１１，３１    網戸用枠体
１２    防虫用ネット
１４，２４，４４    押さえ部材
１５，２５，４５    覆板
１５ａ，２５ａ，４５ａ  突部
１６，４６Ａ    脚条
１６ａ，２６ａ，４６ａ  斜面
１６ｂ，２６ｂ，４６ｂ  係止縁
１８，２８，４８    係止用溝
１９，３９    内向き突縁
２１，４１    凹部
３８ａ  内周側平面部
４６Ｂ  当接板部
【図１】
0004856603.tif 000002
【図２】
0004856603.tif 000003
【図３】
0004856603.tif 000004
【図４】
0004856603.tif 000005
【図５】
0004856603.tif 000006
【図６】
0004856603.tif 000007
【図７】
0004856603.tif 000008